(57)【特許請求の範囲】
【請求項１】
ディスクに対して情報の記録又は再生を行うためのトランスデューサのフォーカス又はトラッキングを調整するトランスデューサ調整装置において、
ディスクに再生専用、記録可能の領域が含まれるかどうかを判定するディスク判定手段と、
前記記録可能領域の記録信号の長さを検出して所定の長さ以上かどうかを判定するデータ量判定手段と、前記データ量判定手段によって記録信号が所定の長さ以上でないと判定されたときに、
記録可能領域に所定の長さ以上のテスト信号を記録する信号記録手段を設け、これによって記録されたテスト信号を再生してフォーカス又はトラッキングを調整する調整手段と、
を備えたことを特徴とするトランスデューサ調整装置。
【請求項２】
ディスクに対して情報の記録又は再生を行うためのトランスデューサのフォーカス又はトラッキングを調整するトランスデューサ調整方法において、
ディスクが記録可能であるかを判定する判定ステップと、
記録可能ディスクの管理領域を読み出すステップと、
前記管理領域から所定の長さ以上の記録済み信号があるかを判定するステップと、
前記記録済信号が有る場合に、前記記録済信号を再生する再生ステップと、
前記記録済信号を再生した信号の測定に基づいて、フォーカス又はトラッキングを調整するステップと、
からなることを特徴とするトランスデューサ調整方法。
【請求項３】
ディスクに対して情報の記録又は再生を行うためのトランスデューサのフォーカス又はトラッキングを調整するトランスデューサ調整方法において、
ディスクが記録可能であるかを判定する判定ステップと、
記録可能ディスクの管理領域を読み出すステップと、
前記管理領域から所定の長さ以上の記録済信号があるかを判定するステップと、
前記記録済信号が無い場合に、前記記録可能ディスクに所定の長さ以上のテスト信号を記録する記録ステップと、
前記記録されたテスト信号を再生する再生ステップと、
前記再生したテスト信号の測定に基づいて、フォーカス又はトラッキングを調整するステップと、
からなることを特徴とするトランスデューサ調整方法。
【請求項４】
ディスクに対して情報の記録又は再生を行うためのトランスデューサのフォーカス又はトラッキングを調整するトランスデューサ調整方法において、
前記ディスクの記録可能領域に所定の長さ以上の記録済み信号があるかを判定するステップと、
前記ディスクの記録可能領域に所定の長さ以上の前記記録済信号が無い場合に、
前記記録可能ディスクに所定の長さのテスト信号を記録する記録ステップと、
前記記録されたテスト信号を再生する再生ステップと、
前記再生したテスト信号の測定に基づいて、フォーカス又はトラッキングを調整するステップと、
からなることを特徴とするトランスデューサ調整方法。
【発明の詳細な説明】
【０００１】
【発明の属する技術分野】
本発明は、ＭＤ（Ｍｉｎｉ  Ｄｉｓｃ）やＰＣ（Ｐｈａｓｅ  Ｃａｎｇｅタイプのディスク）などの各種のディスクに対して情報の記録や再生を行う装置におけるトランスデューサ（ピックアップ）の調整装置にかかり、更に具体的には、そのトラッキングやフォーカスの調整に好適なトランスデューサ調整装置及び調整方法の改良に関する。
【０００２】
【従来の技術】
例えば、ＭＤプレーヤでは、情報が所定のブロック時間単位で圧縮伸長されて、ＣＬＶ（線速度一定）で回転制御されるディスクに記録され又は再生される。すなわち、記録時は、磁気ヘッドとトランスデューサによって、ディスク上の内周から外周に渦巻状に刻まれた複数のトラックに、線速度一定で書誌情報や音声情報などが所定フォーマットで記録される。再生時は、トランスデューサによってディスクに記録された情報が読み出される。これらの場合に、レーザビームのトラックに対する追従であるトラッキングとレーザビームのフォーカスの制御が行われる。また、トラックのウオブリングから得られるウォブリング信号に基づいてディスクの回転数制御やアドレス検出が行われる。
【０００３】
図２には、ＭＤプレーヤのブロック図が示されている。同図において、デジタル信号の入出力は、メディア側のＥＮ（エンコーダ）／Ｄ（デコーダ）＆サーボ回路１０に対して直接行われる。しかし、アナログのオーディオ信号の入出力は、ＡＤＣ（アナログデジタル変換器）／ＤＡＣ（デジタルアナログ変換器）１２を介して行われる。また、マイク入力はマイクアンプ１４を介して行われ、ヘッドホン出力はヘッドホンアンプ１６を介して行われる。
【０００４】
メディア側ＥＮ／Ｄ＆サーボ回路６０には、入出力側のＥＮ／Ｄ＆メモリコントローラ１８が接続されており、これにはショックプルーフメモリ２０が接続されている。メディア側ＥＮ／ＤではＥＦＭ，Ａ−ＣＩＲＣ（Ａｄｖａｎｃｅｄ−Ｃｒｏｓｓ  Ｉｎｔｅｒｌｅａｖｅ  Ｒｅｅｄ−Ｓｏｌｏｍｏｎ  Ｃｏｄｅ）などのエンコード，デコード処理が行われるようになっており、入出力側ＥＮ／ＤではＡＴＲＡＣ（Ａｄａｐｔｉｖｅ  Ｔｒａｎｓｆｏｒｍ  Ａｃｏｕｓｔｉｃ  Ｃｏｄｉｎｇ）のエンコード，デコード処理が行われるようになっている。
【０００５】
ディスク２２に対する信号の記録，再生は、磁気ヘッド２４（記録時のみ），光学ピックアップなどのトランスデューサ（ＰＵで表示）２６によって行われるようになっている。ディスク２２はスピンドルモータ２８によって回転駆動され、記録ヘッド２４，トランスデューサ２６は送りモータ３０によって送り駆動されるように構成されている。これらトランスデューサ２６，スピンドルモータ２８，送りモータ３０の駆動は、モータドライバ３２によって行われる。
【０００６】
次に、トランスデューサ２６はヘッドアンプ３４に接続されており、このヘッドアンプ３４の出力側はプリアンプ５０に接続されている。メディア側ＥＮ／Ｄ＆サーボ回路６０は、モータドライバ３２，プリアンプ５０，磁気ヘッドドライバ３８，システムコントローラ７０にもそれぞれ接続されている。また、入出力側ＥＮ／Ｄ＆メモリコントローラ１８，プリアンプ５０は、システムコントローラ７０に接続されている。システムコントローラ７０には、高周波重畳器４２，ＬＣＤ表示部４４，キー入力部４６もそれぞれ接続されている。
【０００７】
ここで、以上のように構成された装置の基本的な動作を説明する。まず記録時から説明すると、外部から供給されたオーディオ信号は、アナログ信号のときはＡＤＣ／ＤＡＣ１２でデジタル信号に変換された後、メディア側ＥＮ／Ｄ＆サーボ回路６０に供給され、更に入出力側ＥＮ／Ｄ＆メモリコントローラ１８でＡＴＲＡＣによる情報圧縮の処理が行われる。そして、ショックプルーフメモリ２０によるタイミング制御の後、メディア側ＥＮ／Ｄ＆サーボ回路６０で記録のためのＥＦＭ，ＣＩＲＣの処理が行われて、磁気ヘッドドライバ３８に供給される。
【０００８】
他方、システムコントローラ７０によってスピンドルモータ２８が起動される。また、磁気ヘッド２４，トランスデューサ２６→ヘッドアンプ３４→プリアンプ５０→メディア側ＥＮ／Ｄ＆サーボ回路６０→モータドライバ３２→送りモータ３０→磁気ヘッド２４，トランスデューサ２６のループで磁気ヘッド２４，トランスデューサ２６が所定位置となるようにサーボ制御が行われる。
【０００９】
すなわち、トランスデューサ出力からフォーカスとトラッキングを制御するためのエラー信号が検出される。そして、これらフォーカスエラー信号，トラッキングエラー信号をトランスデューサ２６にフィードバックして、フォーカス及びトラッキングが制御される。
【００１０】
また、このループによって得られたトラックのウオブリングに基づくＡＤＩＰ信号を利用して、メディア側ＥＮ／Ｄ＆サーボ回路６０→モータドライバ３２→スピンドルモータ２８の回路でＰＬＬによるディスク２２のＣＬＶ回転制御が行われる。
【００１１】
最初、トランスデューサ２６は、ディスク２２の最内周付近のＴＯＣ（Ｔａｂｌｅ  Ｏｆ  Ｃｏｎｔｅｎｔｓ）及びＵＴＯＣ（Ｕｓｅｒ  Ｔａｂｌｅ  Ｏｆ  Ｃｏｎｔｅｎｔｓ）に移動し、必要なＩＤの情報が読み出され、場合によってはＬＣＤ表示部４４でそれが表示される。そして、キー入力部４６における情報書込みを指示するキー操作に基づいて書き込み動作に移行する。そして、磁気ヘッド２４，トランスデューサ２６がディスク２２上のトラックの所定位置となると、磁気ヘッド２４に磁気ヘッドドライバ３８から記録すべき信号が供給され、情報の光磁気記録が行われる。
【００１２】
次に再生時について説明すると、トランスデューサ２６が送りモータ３０により所定のトラック位置となると、高周波重畳器４２によって高周波信号が重畳されたレーザビームがトランスデューサ２６から出力され、これがディスク２２で反射されて信号が得られる。これらＲＦ信号及びサーボ信号は、ヘッドアンプ３４で増幅されてプリアンプ５０に出力される。
【００１３】
そして、メディア側ＥＮ／Ｄ＆サーボ回路６０によってＲＦ信号がデコード処理されるとともに、一方では、トランスデューサ２６のフォーカスとトラッキングの制御のためのエラー信号，ウオブリングトラックからのＡＤＩＰ信号がプリアンプ５０からメディア側ＥＮ／Ｄ＆サーボ回路６０に供給され、フォーカスやトラッキングの制御，あるいはスピンドルモータ２８の回転制御が行われる。
【００１４】
デコードされた信号は、更にエラー訂正などが行われて入出力側ＥＮ／Ｄ＆メモリコントローラ１８に供給され、ここでショックプルーフメモリ２０によるタイミング制御やデータの伸長が行われ、デジタルのオーディオ信号が得られる。この信号は、そのまま出力されるか、あるいはＡＤＣ／ＤＡＣ１２に供給されてアナログのオーディオ信号に変換されて出力される。
【００１５】
図２に示した各ブロックはＭＤプレーヤの場合を例としているが、ＣＬＶ型の装置に共通して適用できるものであり、得られた信号の以降の処理方法によってＣＤやＭＤ−データなどに分かれる。
【００１６】
ところで、光反射率が異なるなどの各種のディスクに対して情報の記録，再生を行うような場合は、トランスデューサから出力されたレーザビームパワーを複数段階に可変したり、トラッキングやフォーカスの制御を安定に行う必要がある。例えば、記録時には、レーザパワーをディスクのばらつきに合わせて複数段階に可変する。再生時には、種類（プリマスタードとＭＯ（光磁気ディスク）という具合）の異なるディスクの反射率に応じてレーザパワーを複数段階に可変する。
【００１７】
また、これらに対応して、トランスデューサの再生光を適正にするため、レーザパワーを切り換える度にトラッキングやフォーカスも調整する必要がある。具体的には、それらのエラー信号のオフセットやバランスを調整して適正化する必要がある。特に、記録又は再生装置で、他のセットとの互換性を考慮すると、トランスデューサのトラッキングエラー信号やフォーカスエラー信号のオフセットやバランスを正確に調整する必要がある。
【００１８】
この場合に、トラッキングエラー信号やフォーカスエラー信号などのエラー信号に基づいてそれらエラー信号の中心にトランスデューサを位置決めしても、検出素子などの光学的影響によって、必ずしも実際の信号品質の最良点とはならない。このため、エラー中心に対し、読み出したＥＦＭ（Ｅｉｇｈｔ  ｔｏ  Ｆｏｕｒｔｅｅｎ  Ｍｏｄｕｌａｔｉｏｎ）信号の振幅最大点にオフセットさせたり、読み出したＥＦＭ信号のジッタ最小点にオフセットさせたりしている（例えば、特公平５ー４２０６０号公報参照）。
【００１９】
図３には、その様子が示されており、グラフＧＡで示すＥＦＭ出力の最大点ＰＡは、同図の例ではフォーカスエラー信号の中心「０」よりマイナス側となっている。また、グラフＧＢで示すＥＦＭジッタの最小点ＰＢは、更にマイナス側となっている。グラフＧＣで示すＡＤＩＰ信号ジッタの最小点ＰＣも、それらと異なる。
【００２０】
このＥＦＭ信号を利用する従来の調整手法を説明すると、トランスデューサ２６をディスク２２のＴＯＣ領域に移動し、ディスクがＲＯＭかＲＡＭか、又はそれらが混在するハイブリッドかなどのＩＤ情報を読み出す。そして、ＲＯＭであればＴＯＣ領域で調整を行い、ＲＡＭ又はハイブリッドであればＴＯＣ領域などのＲＯＭ領域とＵＴＯＣ領域などのＲＡＭ領域とで調整を行う。調整はマニュアルで行い、ディスク２２の情報記録部分を用いてＥＦＭ信号を得、このＥＦＭ信号のレベルが最大となるように、又はジッタが最小となるように、フォーカスのオフセット量又はバランス調整用のボリウムを調整設定する。
【００２１】
【発明が解決しようとする課題】
しかしながら、以上のようなＥＦＭ信号最大点やジッタ最小点にトランスデューサを位置決め調整する従来技術は、ＥＦＭ信号が検出できる場合、すなわち情報信号が記録されている場合に可能であって、ＭＯやＰＣなどでＥＦＭ信号が記録されていない領域では前記調整手法が適用できないという不都合がある。
また、ディスクに信号が記録されていても、その記録時間が短い場合には、調整中にＥＦＭ信号がなくなってしまい、調整にエラーが生ずることになる。
【００２２】
本発明は、これらの点に着目したもので、情報が記録されていない場合や記録時間が短い場合においても、良好に信号品質が最良となるトランスデューサの位置決め調整を行い、各種のディスクに対応できるトランスデューサ調整装置及び調整方法を提供することを、その目的とする。
【００２３】
【課題を解決するための手段】
前記目的を達成するため、以下の１）〜４）に記載の手段よりなる。
すなわち、
【００２４】
１） ディスクに対して情報の記録又は再生を行うためのトランスデューサのフォーカス又はトラッキングを調整するトランスデューサ調整装置において、
ディスクに再生専用、記録可能の領域が含まれるかどうかを判定するディスク判定手段と、
前記記録可能領域の記録信号の長さを検出して所定の長さ以上かどうかを判定するデータ量判定手段と、前記データ量判定手段によって記録信号が所定の長さ以上でないと判定されたときに、
記録可能領域に所定の長さ以上のテスト信号を記録する信号記録手段を設け、これによって記録されたテスト信号を再生してフォーカス又はトラッキングを調整する調整手段と、
を備えたことを特徴とするトランスデューサ調整装置。
２） ディスクに対して情報の記録又は再生を行うためのトランスデューサのフォーカス又はトラッキングを調整するトランスデューサ調整方法において、
ディスクが記録可能であるかを判定する判定ステップと、
記録可能ディスクの管理領域を読み出すステップと、
前記管理領域から所定の長さ以上の記録済み信号があるかを判定するステップと、
前記記録済信号が有る場合に、前記記録済信号を再生する再生ステップと、
前記記録済信号を再生した信号の測定に基づいて、フォーカス又はトラッキングを調整するステップと、
からなることを特徴とするトランスデューサ調整方法。
３） ディスクに対して情報の記録又は再生を行うためのトランスデューサのフォーカス又はトラッキングを調整するトランスデューサ調整方法において、
ディスクが記録可能であるかを判定する判定ステップと、
記録可能ディスクの管理領域を読み出すステップと、
前記管理領域から所定の長さ以上の記録済信号があるかを判定するステップと、
前記記録済信号が無い場合に、前記記録可能ディスクに所定の長さ以上のテスト信号を記録する記録ステップと、
前記記録されたテスト信号を再生する再生ステップと、
前記再生したテスト信号の測定に基づいて、フォーカス又はトラッキングを調整するステップと、
からなることを特徴とするトランスデューサ調整方法。
４） ディスクに対して情報の記録又は再生を行うためのトランスデューサのフォーカス又はトラッキングを調整するトランスデューサ調整方法において、
前記ディスクの記録可能領域に所定の長さ以上の記録済み信号があるかを判定するステップと、
前記ディスクの記録可能領域に所定の長さ以上の前記記録済信号が無い場合に、
前記記録可能ディスクに所定の長さのテスト信号を記録する記録ステップと、
前記記録されたテスト信号を再生する再生ステップと、
前記再生したテスト信号の測定に基づいて、フォーカス又はトラッキングを調整するステップと、
からなることを特徴とするトランスデューサ調整方法。
【００２５】
【発明の実施の形態】
以下、本発明によるトランスデューサ調整装置及び調整方法につき、好ましい実施例について、添付図面を参照しながら詳細に説明する。なお、上述した従来技術と同様の構成部分又は従来技術に対応する構成部分には同一の符号を用いることとする。
【００２６】
＜第１実施例＞
図１には、本実施例の主要部分の構成が示されている。同図において、トランスデューサ２６のＲＦ信号出力側はプリアンプ５０のＯＰアンプＡ１の反転，非反転入力側にそれぞれ接続されている。ＯＰアンプＡ１の出力側はアンプＡ２に接続されており、このアンプＡ２の出力がＥＦＭ信号である。また、アンプＡ２の出力側は絶対値回路５２に接続されており、絶対値回路５２の出力側はカットオフ周波数２０ＫＨｚのＬＰＦ５４に接続されている。このＬＰＦ５４から、ＥＦＭ信号のエンベロープＥＦＭＬが出力される。
【００２７】
次に、トランスデューサ２６のフォトセンサの４分割ダイオード（図示せず）の出力Ａ，Ｂ，Ｃ，Ｄのうち、Ａ，Ｄの出力側は抵抗Ｒをそれぞれ介してＯＰアンプＡ３の反転入力側に接続されており、Ｂ，Ｃの出力側は抵抗Ｒをそれぞれ介して非反転入力側に接続されている。これによって、ＯＰアンプＡ３の出力は（Ｂ＋Ｃ）−（Ａ＋Ｄ）となる。ＯＰアンプＡ３の出力側は、カットオフ周波数が低域側１０ＫＨｚで高域側４０ＫＨｚのＢＰＦ５６に接続されている。ＢＰＦ５６からはＡＤＩＰ信号が出力される。
【００２８】
次に、前記出力Ａ，Ｂ，Ｃ，Ｄのうち、Ａ，Ｃの出力側は抵抗Ｒ，Ｒ１を介してＯＰアンプＡ４の非反転入力側に接続されており、Ｂ，Ｄの出力側は抵抗Ｒ，Ｒ２を介してＯＰアンプＡ４の反転入力側に接続されている。これによって、ＯＰアンプＡ４の出力は（Ａ＋Ｃ）−（Ｂ＋Ｄ）となる。ＯＰアンプＡ４の出力側は、抵抗Ｒ３を介してＯＰアンプＡ５の反転入力側，抵抗Ｒ４，Ｒ５にそれぞれ接続されている。抵抗Ｒ５にはコンデンサＣを介して後述するフォーカス加振信号ＦＫが入力されている。また、抵抗Ｒ４はＯＰアンプＡ５の出力側に接続されている。
【００２９】
このＯＰアンプＡ５からは、フォーカスエラー信号ＦＥが出力されるようになっている。また、ＯＰアンプＡ４の非反転入力側の抵抗Ｒ１の抵抗値は、フォーカスバランス信号ＦＢＡＬによって可変できるようになっており、ＯＰアンプＡ５の非反転入力側にはフォーカスオフセット信号ＦＯＦＳが入力されている。
【００３０】
次に、トランスデューサ２６の４分割ダイオードに隣接するダイオード（図示せず）の出力Ｅ，Ｆは、抵抗Ｒ６，Ｒ７をそれぞれ介してＯＰアンプＡ６の非反転，反転入力側にそれぞれ入力されている。ＯＰアンプＡ６の出力側は、抵抗Ｒ８を介してＯＰアンプＡ７の反転入力側，抵抗Ｒ９にそれぞれ接続されている。抵抗Ｒ９は、ＯＰアンプＡ７の出力側に接続されている。
【００３１】
このＯＰアンプＡ７からは、トラッキングエラー信号ＴＥが出力されるようになっている。また、ＯＰアンプＡ６の反転入力側の抵抗Ｒ７の抵抗値は、トラッキングバランス信号ＴＢＡＬによって可変できるようになっており、ＯＰアンプＡ７の非反転入力側にはトラッキングオフセット信号ＴＯＦＳが入力されている。
【００３２】
次に、ＯＰアンプＡ２のＥＦＭ信号，ＢＰＦ５２のＡＤＩＰ信号，ＯＰアンプＡ５のフォーカスエラー信号ＦＥ，ＯＰアンプＡ７のトラッキングエラー信号ＴＥは、いずれもメディア側ＥＮ／Ｄ＆サーボ回路６０に供給されている。また、ＬＰＦ５４のＥＦＭ信号のエンベロープ（低周波成分）ＥＦＭＬは、システムコントローラ７０の自動調整部７２にＡ／Ｄ変換されて供給されており、システムコントローラ７０の加振部７４からコンデンサＣにフォーカス加振信号ＦＫが供給されるようになっている。また、システムコントローラ７０の自動調整部７２から、フォーカスバランス信号ＦＢＡＬが出力されるようになっている。
【００３３】
更に、システムコントローラ７０には、ディスク判定部７６，データ量判定部７８がそれぞれ設けられており、メディア側ＥＮ／Ｄ＆サーボ回路６０には、テストパターン発生器６２が設けられている。このテストパターン発生器６２については、第２実施例で説明する。メディア側ＥＮ／Ｄ＆サーボ回路６０，システムコントローラ７０は、前記従来技術における機能も備えている。その他の構成部分は、図２と同様である。
【００３４】
次に、以上のように構成された第１実施例の動作について、図４及び図５のフローチャートも参照しながら説明する。装置の電源がＯＮとなると、まずフォーカスのオフセット調整が行われる（図４，ステップＳ１）。すなわち、トランスデューサ２６のレーザビームはディスク２２に照射されるが、サーボオフの状態では一般的にデフォーカスした状態となるため、プリアンプ５０のＯＰアンプＡ４の（Ａ＋Ｃ）−（Ｂ＋Ｄ）の信号出力はないはずである。
【００３５】
しかし、実際には、回路のオフセットや迷光成分などにより、ＯＰアンプＡ５から基準値と異なる電圧が出力されることがある。そこで、ＯＰアンプＡ５の出力が基準値となるように、フォーカスオフセット信号ＦＯＦＳが調整される。
【００３６】
次に、この状態でスピンドルモータ２８が起動される（ステップＳ２）。そして、フォーカス及びトラッキングのサーボがＯＮとなり、エラー信号ＦＥ，ＴＥに基づいてフォーカス及びトラッキングのサーボ制御が行われる（ステップＳ３）。そして、システムコントローラ７０の動作指示に基づいてトランスデューサ２６がディスク２２のＴＯＣ領域に移動する（ステップＳ４）。
【００３７】
そして、ＴＯＣ領域の情報が読み出され、所定の自動調整動作，例えばレーザパワーや各アンプのゲインの初期設定などが行われる。システムコントローラ７０では、ディスク判定部７６によって、ＴＯＣ領域から読み出された情報からディスクがＲＯＭ，ＲＡＭ，あるいはハイブリッドかの判定が行われる（ステップＳ５）。
【００３８】
その結果、ＲＯＭディスクであると、ＴＯＣ領域において自動調整動作が行われる（ステップＳ６）。図５には、この自動調整動作が示されており、フォーカスバランスＦＢＡＬによってその調整が行われる。ディスク２２のデータ記録領域にトランスデューサ２６を移動する（ステップＳ６１）。トランスデューサ２６からはＡ〜Ｆの信号が出力される。これらは、ヘッドアンプ３４による増幅の後プリアンプ５０に供給される。すると、そのＯＰアンプＡ３から（Ｂ＋Ｃ）−（Ａ＋Ｄ）が出力される。更にＢＰＦ５２からは、ＡＤＩＰ信号が出力される。
【００３９】
また、ＯＰアンプＡ４では、上述したように（Ａ＋Ｃ）−（Ｂ＋Ｄ）が出力される。これに対し、システムコントローラ７０の加振部７４からは、フォーカス加振信号ＦＫが出力される。これにより、ＯＰアンプＡ５からは、フォーカス加振信号ＦＫが重畳された信号ＦＥ＋ＦＫが出力される。この信号ＦＥ＋ＦＫは、メディア側ＥＮ／Ｄ＆サーボ回路６０に供給され、これに基づいてトランスデューサ２６のフォーカスサーボが行われる。すると、フォーカスコイル（図示せず）がフォーカス方向（図３では左右方向）に加振信号ＦＫの周期で振動するようになる（ステップＳ６２）。なお、この加振は、フォーカスサーボの範囲内で行われる。
【００４０】
この加振を行うと、フォーカス位置が図３の左右にグラフＧＤのように振れるようになる。このようにフォーカス位置が変化すると、グラフＧＡ上ではＥＦＭ信号の振幅が減少するようになる。このＥＦＭ信号は絶対値回路５２に供給され、更にＬＰＦ５４によるフィルタリングによってそのエンベロープＥＦＭＬが取り出される（ステップＳ６３）。
【００４１】
このＥＦＭ信号のエンベロープＥＦＭＬは、Ａ／Ｄ変換されてシステムコントローラ７０の自動調整部７２に取り込まれる。ここで、Ａ／Ｄ変換による信号の取り込みは、ディスクの欠陥，面振れ，偏心，記録信号の相異などの影響を低減して測定精度を上げるため、例えば１回の加振で２５６回のサンプリングを行うとともに（ステップＳ６３）、加振を例えば１６回行うようにする（ステップＳ６４）。
【００４２】
ここで、ＥＦＭ信号エンベロープＥＦＭＬの取り込みは、加振信号ＦＫに同期して行われ、図３に示すグラフの中心に対して左右に別けて測定され、左右それぞれ加算して平均し、測定値ＬＲ，ＬＬが得られる。なお、１回の加振で２５６回のサンプリングが行われるから、左右それぞれについては２５６／２＝１２８回である。
【００４３】
自動調整部７２では、これらの測定値ＬＲ，ＬＬが比較され、それらの差が所定範囲内かどうかが判定される（ステップＳ６５）。そして、その結果、測定値ＬＲ，ＬＬの差が所定範囲内であるときは、ＥＦＭ信号が最大で、かつフォーカスバランスが適切な状態にあると考えられるので、調整動作は終了する（ステップＳ６６）。この状態は、図３で説明すると、グラフＧＡのＥＦＭ出力の最大点ＰＡが、フォーカスエラーの中心「０」とほぼ一致する状態である。
【００４４】
しかし、測定値ＬＲ，ＬＬの差が大きいときは、ＯＰアンプＡ４の入力側の抵抗Ｒ１の値が、自動調整部７２によって１ステップ変更される（ステップＳ６７）。具体的には、ＯＰアンプＡ４の入力Ａ＋Ｃが小さいときはゲインがアップするように、Ａ＋Ｃが大きいときはゲインがダウンするように、バランス信号ＦＢＡＬによって抵抗Ｒ１が調整される。そして、再度フォーカスの加振を行って上述した動作が繰り返される（ステップＳ６２〜Ｓ６７）。
【００４５】
この調整により、グラフＧＡのＥＦＭ出力の最大点ＰＡがフォーカスエラーの中心「０」に接近するようになる。そして、この調整動作を繰り返すことで、結果的に図３にΔＦで示すオフセットがかけられることになり、ＥＦＭ最大出力点にフォーカスの位置決め調整が行われることになる。
【００４６】
次に、図４に戻って、システムコントローラ７０のディスク判定部７６でディスク２２のＴＯＣ領域の情報からＲＡＭあるいはハイブリッドのディスクであると判定（ステップＳ５）された場合について説明する。この場合は、ＲＯＭ領域のみならず、ＲＡＭ領域についても測定調整を行う必要がある。
【００４７】
まず、ＴＯＣ領域にトランスデューサ２６を移動して図５に示した自動調整動作を行う（ステップＳ７）。次に、トランスデューサ２６をＵＴＯＣ領域に移動し（ステップＳ８）、ここで記録データを検索する。そして、システムコントローラ７０のデータ量判定部７８では、記録されているデータのアドレスからデータのディスク上における実再生時間が計算される。図５に示した自動調整には例えば１００ｍｓ程度かかるので、これにタイミング制御のための時間をマージンとして加えた測定必要時間が、前記計算した記録データの時間よりも長いかどうかが判定される。
【００４８】
その結果、測定必要時間よりもデータ記録時間の方が長い（あるいは両者が等しい）と判定されたときは（ステップＳ９のＹ）、トランスデューサ２６をＲＡＭ領域に移動して（ステップＳ１０）、図５に示した自動調整動作を行う（ステップＳ１１）。しかし、測定必要時間よりもデータ記録時間の方が短いと判定されたときは（ステップＳ９のＮ）、前記ステップＳ７でＴＯＣ領域で調整した値を用いて、ＲＡＭ領域の設定を行う（ステップＳ１２）。ステップＳ１３〜Ｓ１５については後述する。
【００４９】
なお、以上のような調整動作によってＲＯＭ，ＲＡＭ各領域について得られた測定値，すなわちプリアンプ５０のＯＰアンプＡ４の入力側抵抗Ｒ１の値（又はそれに相当するフォーカスバランス信号ＦＢＡＬ）は、例えばシステムコントローラ７０のメモリ（図示せず）に格納され、ディスク２２に対するアクセス時に該当する値がプリアンプ５０に供給される。
【００５０】
＜第２実施例＞
次に、図４を参照しながら本発明の第２実施例について説明する。この実施例では、前記第１実施例のステップＳ９で測定必要時間よりもデータ記録時間の方が短いと判定されたときには、まずディスク２２のＲＡＭ空き領域にトランスデューサ２６を移動する（ステップＳ１３）。
【００５１】
そして、メディア側ＥＮ／Ｄ＆サーボ回路６０のテストパターン発生器６２からテストパターンデータを発生し、これをその空き領域に書き込む（ステップＳ１４）。もちろん、このテストパターンデータは自動調整に必要な長さである。このテストパターンに再度アクセスしてＥＦＭ信号を得、図５に示した自動調整を行う（ステップＳ１５）。その他の動作は、前記第１実施例と同様である。なお、ディスクに書き込まれたテストパターンは、それを記録情報として認識させないようにすれば、通常の記録再生には何ら支障は生じない。
【００５２】
以上のように、本発明の実施例によれば、次のような効果がある。
（１）第１実施例によれば、ディスクに信号が記録されていないとき、あるいは記録されている信号が調整に十分な長さでない場合は、ＲＯＭ領域であるＴＯＣ領域を利用して得たＥＦＭ信号最大となるフォーカスバランスの値を、ＲＡＭ領域にも適用してフォーカスを調整することとしたので、ディスクの情報書き込み状態に影響されることなく、最良点に良好にフォーカス調整でき、信号記録の有無に影響されないため、各種のディスクに適用できる。
【００５３】
（２）第２実施例によれば、ディスクに信号が記録されていないとき、あるいは記録されている信号が調整に十分な長さでない場合は、ＲＡＭ領域にテスト用の信号を記録し、これを利用してＥＦＭ信号最大となるフォーカスバランスの値を得てフォーカスを調整することとしたので、ディスクの情報書き込み状態に影響されることなく、更に良好に最良点にフォーカス調整でき、信号記録の有無に影響されないため、各種のディスクに適用できる。
（３）いずれの実施例においても、調整時にフォーカスの加振を行うこととしたので、短時間で速やかに測定値を得ることができる。
【００５４】
＜他の実施例＞
なお、本発明は、何ら上記実施例に限定されるものではなく、例えば次のようなものも含まれる。
（１）前記実施例は、本発明をフォーカスの調整に適用したものであるが、トラッキングの調整にも適用可能である。この場合、加振信号は、図１のプリアンプ５０のＯＰアンプＡ７の反転入力側に印加すればよい。
（２）前記実施例では、ＥＦＭ信号が最大となるようにフォーカスを調整したが、ＥＦＭ信号のジッタを検出して、ＥＦＭ信号のジッタが最小となるように調整するようにしてもよい。
【００５５】
（３）フォーカスの加振を行うことなく、サーボ系のゲインを調整して前記フォーカスの調整を行うことも可能であるが、加振を行うことによって短時間で速やかに調整を行うことができる。
（４）図１，図２に示した回路構成も、同様の作用を奏するように種々設計変更可能である。また、マイクロプロセッサを利用してソフト的に行うようにしてもよい。
【００５６】
【発明の効果】
以上説明したように、本発明によるトランスデューサ調整装置によれば、次のような効果がある。
（１）ディスクのＲＡＭ領域に記録された信号の長さを判定し、所定以上の長さの場合にその信号のＥＦＭ信号を利用してフォーカス又はトラッキングを調整することとしたので、記録信号が短いことによる調整不良などが回避される。
【００５７】
（２）ディスクのＲＡＭ領域に記録されている信号の長さを判定し、所定以上の長さがないときには、調整用の信号を記録し、これから得たＥＦＭ信号を利用してフォーカス又はトラッキングを位置決め調整することとしたので、ディスクに情報が記録されていない場合や記録時間が短い場合においても、信号品質が最良となるトランスデューサの位置決め調整を行うことができ、また、各種のディスクに対応できる。
【図面の簡単な説明】
【図１】本発明によるトランスデューサ調整装置及び調整方法の実施例の主要部を示す構成図である。
【図２】ディスクプレーヤの全体構成の一例を示すブロック図である。
【図３】フォーカスエラーと各種信号との関係を示すグラフである。
【図４】前記装置の主要動作を示すフローチャートである。
【図５】前記動作における自動調整動作を示すフローチャートである。
【符号の説明】
１２…ＡＤＣ／ＤＡＣ
１４…マイクアンプ
１６…ヘッドホンアンプ
１８…入出力側ＥＮ／Ｄ＆メモリコントローラ
２０…ショックプルーフメモリ
２２…ディスク
２４…磁気ヘッド
２６…トランスデューサ
２８…スピンドルモータ
３０…送りモータ
３２…モータドライバ
３４…ヘッドアンプ
３８…磁気ヘッドドライバ
４２…ＬＣＤ表示部
４４…キー入力部
５０…プリアンプ
５２…絶対値回路（エンベロープ検出手段）
５４…ＬＰＦ（エンベロープ検出手段）
５６…ＢＰＦ
６０…メディア側ＥＮ／Ｄ＆サーボ回路
６２…テストパターン発生器
７０…システムコントローラ
７２…自動調整部（調整手段）
７４…加振部（加振手段）
７６…ディスク判定部（ディスク判定手段）
７８…データ量判定部（データ量判定手段）
【図１】
0003608738.tif 000002
【図２】
0003608738.tif 000003
【図３】
0003608738.tif 000004
【図４】
0003608738.tif 000005
【図５】
0003608738.tif 000006